(57)【要約】【課題】トレイに関する操作を利用者に案内するための操作画面において、自装置のトレイ構成に応じた画像を表示することができる。【解決手段】画像形成装置は、電源起動時に、自装置に装着されているトレイの種類および位置の情報を含むトレイ情報を取得する取得手段と、前記取得手段により取得されたトレイ情報を用いて自装置のトレイ構成に関するトレイ構成情報を生成する生成手段と、前記生成手段により生成されたトレイ構成情報を記憶する記憶手段と、操作画面を利用者に表示するための表示手段と、利用者にトレイに関する操作画面を示す際に、前記記憶手段に記憶されているトレイ構成情報を用いて、トレイに関する操作を利用者に案内するための画像を選択して前記表示手段に表示するよう制御する制御手段と、を備える。【選択図】図３
2018107767.tif 000002
【特許請求の範囲】
【請求項１】
電源起動時に、自装置に装着されているトレイの種類および位置の情報を含むトレイ情報を取得する取得手段と、
前記取得手段により取得されたトレイ情報を用いて自装置のトレイ構成に関するトレイ構成情報を生成する生成手段と、
前記生成手段により生成されたトレイ構成情報を記憶する記憶手段と、
操作画面を利用者に表示するための表示手段と、
利用者にトレイに関する操作画面を示す際に、前記記憶手段に記憶されているトレイ構成情報を用いて、トレイに関する操作を利用者に案内するための画像を選択して前記表示手段に表示するよう制御する制御手段と、
を備えた画像形成装置。
【請求項２】
前記制御手段は、前記表示手段に表示する画像の種類に応じて、トレイ構成情報のうち必要な情報を参照して、操作画面においてトレイに関する操作を利用者に案内するための画像を選択するよう制御する請求項１記載の画像形成装置。
【請求項３】
前記取得手段は、電源が起動される毎に前記トレイ情報を取得し、
前記記憶手段は、電源が遮断されるまで前記トレイ構成情報を記憶する請求項１又は２記載の画像形成装置。
【請求項４】
トレイの種類および位置の組み合わせ毎に装置の外観を表した外観画像と、トレイの種類に応じたトレイ画像とを格納する格納手段を備え、
前記制御手段は、前記格納手段に格納されている外観画像およびトレイ画像の中から、操作画面上に表示する画像を選択して前記表示手段に表示させるよう制御する請求項１から３のいずれか記載の画像形成装置。
【請求項５】
前記格納手段は、各トレイに装着される可能性のあるトレイの種類の情報のトレイ一覧情報を格納し、
前記生成手段は、前記格納手段に格納されているトレイ一覧情報と前記取得手段により取得されたトレイ情報とから、トレイ構成情報を生成する請求項４記載の画像形成装置。
【請求項６】
電源起動時に、自装置に装着されているトレイの種類および位置の情報を含むトレイ情報を取得するステップと、
取得されたトレイ情報を用いて自装置のトレイ構成に関するトレイ構成情報を生成するステップと、
生成されたトレイ構成情報を記憶するステップと、
操作画面を利用者に表示するためのステップと、
利用者にトレイに関する操作画面を示す際に、記憶されているトレイ構成情報を用いて、トレイに関する操作を利用者に案内するための画像を選択して表示するよう制御するステップと、
をコンピュータに実行させるためのプログラム。
【発明の詳細な説明】
【技術分野】
【０００１】
本発明は、画像形成装置及びプログラムに関する。
【背景技術】
【０００２】
特許文献１には、操作者に対して、操作対象機器に関する操作の案内情報を表示する表示手段と、前記表示手段に表示させる複数の前記案内情報を記憶管理する案内情報管理手段と、前記案内情報管理手段に管理されている前記案内情報を前記表示手段に選択的に表示させる表示制御手段と、を備え、前記案内情報は、操作対象機器の外観図と、操作対象機器の状態変化を表す状態情報とを含み、前記表示制御手段は、前記操作対象機器の状態に変化が生じる時、前記状態情報を、状態変化が生じる前記外観図の部分に重ねて表示することを特徴とする情報表示装置が開示されている。
【先行技術文献】
【特許文献】
【０００３】
【特許文献１】特開２００１−１６３８８号公報
【発明の概要】
【発明が解決しようとする課題】
【０００４】
マーケット領域に応じた複合機、複写機が商品化されており、提供する商品とオプション構成により装置の構成が複雑化している。このため、使用者には操作画面上の操作が分かりにくい場合がある。
【０００５】
本発明の目的は、トレイに関する操作を利用者に案内するための操作画面において、自装置のトレイ構成に応じた画像を表示することが可能な画像形成装置およびプログラムを提供することである。
【課題を解決するための手段】
【０００６】
請求項１に係る本発明は、電源起動時に、自装置に装着されているトレイの種類および位置の情報を含むトレイ情報を取得する取得手段と、前記取得手段により取得されたトレイ情報を用いて自装置のトレイ構成に関するトレイ構成情報を生成する生成手段と、前記生成手段により生成されたトレイ構成情報を記憶する記憶手段と、操作画面を利用者に表示するための表示手段と、利用者にトレイに関する操作画面を示す際に、前記記憶手段に記憶されているトレイ構成情報を用いて、トレイに関する操作を利用者に案内するための画像を選択して前記表示手段に表示するよう制御する制御手段と、を備えた画像形成装置である。
【０００７】
請求項２に係る本発明は、前記制御手段は、前記表示手段に表示する画像の種類に応じて、トレイ構成情報のうち必要な情報を参照して、操作画面においてトレイに関する操作を利用者に案内するための画像を選択するよう制御する請求項１記載の画像形成装置である。
【０００８】
請求項３に係る本発明は、前記取得手段は、電源が起動される毎に前記トレイ情報を取得し、前記記憶手段は、電源が遮断されるまで前記トレイ構成情報を記憶する請求項１又は２記載の画像形成装置である。
【０００９】
請求項４に係る本発明は、トレイの種類および位置の組み合わせ毎に装置の外観を表した外観画像と、トレイの種類に応じたトレイ画像とを格納する格納手段を備え、前記制御手段は、前記格納手段に格納されている外観画像およびトレイ画像の中から、操作画面上に表示する画像を選択して前記表示手段に表示させるよう制御する請求項１から３のいずれか記載の画像形成装置である。
【００１０】
請求項５に係る本発明は、前記格納手段は、各トレイに装着される可能性のあるトレイの種類の情報のトレイ一覧情報を格納し、前記生成手段は、前記格納手段に格納されているトレイ一覧情報と前記取得手段により取得されたトレイ情報とから、トレイ構成情報を生成する請求項４記載の画像形成装置である。
【００１１】
請求項６に係る本発明は、電源起動時に、自装置に装着されているトレイの種類および位置の情報を含むトレイ情報を取得するステップと、取得されたトレイ情報を用いて自装置のトレイ構成に関するトレイ構成情報を生成するステップと、生成されたトレイ構成情報を記憶するステップと、操作画面を利用者に表示するためのステップと、利用者にトレイに関する操作画面を示す際に、記憶されているトレイ構成情報を用いて、トレイに関する操作を利用者に案内するための画像を選択して表示するよう制御するステップと、をコンピュータに実行させるためのプログラムである。
【発明の効果】
【００１２】
請求項１に係る本発明によれば、トレイに関する操作を利用者に案内するための操作画面において、自装置のトレイ構成に応じた画像を表示することが可能な画像形成装置を提供することができる。
【００１３】
請求項２に係る本発明によれば、全てのトレイ構成情報を参照して画像を選択する場合と比較して、操作画面上に画像を表示するまでの時間を短縮することが可能な画像形成装置を提供することができる。
【００１４】
請求項３に係る本発明によれば、装置構成を変更する場合であっても、電源の再起動により、自装置のトレイ構成に応じた画像を表示することが可能な画像形成装置を提供することができる。
【００１５】
請求項４に係る本発明によれば、トレイに関する操作を利用者に案内するための操作画面において、自装置のトレイ構成に応じた外観画像やトレイ画像を表示することが可能な画像形成装置を提供することができる。
【００１６】
請求項５に係る本発明によれば、トレイに関する操作を利用者に案内するための操作画面において、自装置のトレイ構成に応じた画像を表示することが可能な画像形成装置を提供することができる。
【００１７】
請求項６に係る本発明によれば、トレイに関する操作を利用者に案内するための操作画面において、自装置のトレイ構成に応じた画像を表示することが可能なプログラムを提供することができる。
【図面の簡単な説明】
【００１８】
【図１】本発明の一実施形態である画像形成装置１０を含む画像形成システムの構成を示す図である。
【図２】本発明の一実施形態における画像形成装置１０のハードウェア構成を示すブロック図である。
【図３】本発明の一実施形態における画像形成装置１０の機能構成を示すブロック図である。
【図４】本発明の一実施形態における画像形成装置１０のトレイ情報格納部３６に格納されるトレイ一覧情報の一例を示す図である。
【図５】本発明の一実施形態における画像形成装置１０のトレイ情報格納部３６に格納されるトレイ画像の一例を示す図である。
【図６】本発明の一実施形態における画像形成装置１０のトレイ情報格納部３６に格納される外観画像の一例を示す図である。
【図７】電源起動時の画像形成装置１０の動作を示すフロー図である。
【図８】図４に示したトレイ一覧情報に基づくトレイ構成情報の生成を説明するための図である。
【図９】トレイ構成情報の一例を示す図である。
【図１０】トレイ構成情報取得後の画像形成装置１０の動作を示すフロー図である。
【図１１】（Ａ）は、図９のトレイ構成情報に基づいて選択された手差しトレイのトレイ画像４０ａを示す図である。（Ｂ）は、図９のトレイ構成情報に基づいて選択されたトレイ１のトレイ画像４０ｂを示す図である。（Ｃ）は、図９のトレイ構成情報に基づいて選択されたトレイ２のトレイ画像４０ｃを示す図である。（Ｄ）は、図９のトレイ構成情報に基づいて選択された外観画像５０ｃを示す図である。
【図１２】本発明の一実施形態の画像形成装置１０における表示部２４の表示内容の一例を示す図である。
【図１３】本発明の一実施形態の画像形成装置１０における表示部２４の操作画面の表示例を説明するための図である。
【図１４】本発明の一実施形態の画像形成装置１０における表示部２４の操作画面の表示例を説明するための図である。
【図１５】本発明の一実施形態の画像形成装置１０における表示部２４の操作画面の表示例を説明するための図である。
【図１６】本発明の一実施形態の画像形成装置１０における表示部２４の操作画面の表示例を説明するための図である。
【図１７】本発明の一実施形態の画像形成装置１０における表示部２４の操作画面の表示例を説明するための図である。
【図１８】本発明の一実施形態の画像形成装置１０における表示部２４の操作画面の表示例を説明するための図である。
【図１９】本発明の一実施形態の画像形成装置１０における表示部２４の操作画面の表示例を説明するための図である。
【図２０】本発明の一実施形態の画像形成装置１０における表示部２４の操作画面の表示例を説明するための図である。
【図２１】トレイ構成情報の変形例１を示す図である。
【図２２】（Ａ）は、図２１のトレイ構成情報に基づいて選択された手差しトレイのトレイ画像４０ａを示す図である。（Ｂ）は、図２１のトレイ構成情報に基づいて選択されたトレイ１のトレイ画像４０ｂを示す図である。（Ｃ）は、図２１のトレイ構成情報に基づいて選択された外観画像５０ａを示す図である。
【図２３】トレイ構成情報の変形例２を示す図である。
【図２４】（Ａ）は、図２３のトレイ構成情報に基づいて選択された手差しトレイのトレイ画像４０ａを示す図である。（Ｂ）は、図２３のトレイ構成情報に基づいて選択されたトレイ１のトレイ画像４０ｂを示す図である。（Ｃ）は、図２３のトレイ構成情報に基づいて選択されたトレイ２のトレイ画像４０ｂを示す図である。（Ｄ）は、図２３のトレイ構成情報に基づいて選択されたトレイ３のトレイ画像４０ｂを示す図である。（Ｅ）は、図２３のトレイ構成情報に基づいて選択された外観画像５０ｂを示す図である。
【図２５】トレイ構成情報の変形例３を示す図である。
【図２６】（Ａ）は、図２５のトレイ構成情報に基づいて選択された手差しトレイのトレイ画像４０ａを示す図である。（Ｂ）は、図２５のトレイ構成情報に基づいて選択されたトレイ１のトレイ画像４０ｂを示す図である。（Ｃ）は、図２５のトレイ構成情報に基づいて選択されたトレイ２のトレイ画像４０ｂを示す図である。（Ｄ）は、図２５のトレイ構成情報に基づいて選択されたトレイ３のトレイ画像４０ｃを示す図である。（Ｅ）は、図２５のトレイ構成情報に基づいて選択された外観画像５０ｄを示す図である。
【図２７】トレイ構成情報の変形例４を示す図である。
【図２８】（Ａ）は、図２７のトレイ構成情報に基づいて選択された手差しトレイのトレイ画像４０ａを示す図である。（Ｂ）は、図２７のトレイ構成情報に基づいて選択されたトレイ１のトレイ画像４０ｂを示す図である。（Ｃ）は、図２７のトレイ構成情報に基づいて選択されたトレイ２のトレイ画像４０ｃを示す図である。（Ｄ）は、図２７のトレイ構成情報に基づいて選択されたトレイ３のトレイ画像４０ｃを示す図である。（Ｅ）は、図２７のトレイ構成情報に基づいて選択された外観画像５０ｅを示す図である。
【発明を実施するための形態】
【００１９】
次に、本発明の実施の形態について図面を参照して詳細に説明する。
【００２０】
図１は本発明の一実施形態の画像形成装置１０を含む画像形成システムの構成を示す図である。
【００２１】
本実施形態の画像形成システムは、図１に示されるように、ネットワーク３０により相互に接続された画像形成装置１０、および端末装置２０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００２２】
次に、本実施形態の画像形成システムにおける画像形成装置１０のハードウェア構成を図２に示す。
【００２３】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２４】
プリントエンジン１７は、帯電、露光、現像、転写、定着などの工程を経て印刷用紙等の記録媒体上に画像を印刷する。
【００２５】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２６】
図３は、上記の制御プログラムが実行されることにより実現される画像形成装置１０の機能構成を示すブロック図である。
【００２７】
本実施形態の画像形成装置１０は、図３に示されるように、制御部２２と、表示部２４と、取得部２５と、記憶部２６と、画像読取部２８と、通信部３２と、画像出力部３４と、トレイ情報格納部３６とを備えている。
【００２８】
表示部２４は、いわゆるタッチパネル等の操作パネルにより構成され、画像形成装置１０に対する操作を受け付けたり、操作結果、処理結果等をユーザに示すために表示する。そして、表示部２４は、トレイに関する操作を利用者に案内する際に、装置の外観画像やトレイ画像、トレイの名称等のトレイの種類、位置、数等のトレイに関する情報を含む画像を操作画面上に表示する。
【００２９】
ここで、トレイの種類には、例えば手差しトレイ、本体カセット、タンデムトレイ（Ｔａｎｄｅｍ  Ｔｒａｙ  Ｍｏｄｕｌｅ、以下ＴＴＭと記す）、外付大容量トレイ（Ｈｉｇｈ  Ｃａｐａｃｉｔｙ  Ｆｅｅｄｅｒ、以下ＨＣＦと記す）、インターポーザ、大容量トレイ（Ｈｉｇｈ  Ｃａｐａｃｉｔｙ  Ｔｒａｙ  Ｍｏｄｕｌｅ、以下ＨＴＭと記す）等が含まれる。
【００３０】
取得部２５は、電源起動時に、電気信号により、自装置に装着されているトレイや、自装置に装着されている後処理装置や、後処理装置に装着されているトレイの種類、位置、数等の情報を含むトレイ情報を取得する。取得部２５は、電源が起動される毎にトレイ情報を取得する。
【００３１】
トレイ情報格納部３６は、例えば図４に示すような自装置に装着される可能性のあるトレイの種類の情報のトレイ一覧情報を格納している。各トレイは、トレイ番号と名前ＩＤとトレイタイプをそれぞれ有している。名前ＩＤは、トレイの名称を表示する名称表示部として用いられる。トレイタイプは、トレイの種類を示している。また、名前ＩＤとトレイタイプの組み合わせによりトレイの位置が決定される。
【００３２】
また、トレイ情報格納部３６は、例えば図５に示すようなトレイ画像４０ａ〜４０ｃと、図６に示すような外観画像５０ａ〜５０ｅを格納している。
【００３３】
図５（Ａ）に示すトレイ画像４０ａは、手差しトレイの一例を示す図である。図５（Ｂ）に示すトレイ画像４０ｂは、カセットトレイの一例を示す図である。また、図５（Ｃ）に示すトレイ画像４０ｃは、大容量トレイであるＨＴＭの一例を示す図である。
【００３４】
また、図６（Ａ）に示す外観画像５０ａは、手差しトレイと、トレイ１にカセットトレイを備えた画像形成装置の画像を示している。図６（Ｂ）に示す外観画像５０ｂは、手差しトレイと、トレイ１〜３にカセットトレイを備えた画像形成装置の画像を示している。図６（Ｃ）に示す外観画像５０ｃは、手差しトレイと、トレイ１にカセットトレイ、トレイ２にＨＴＭを備えた画像形成装置の画像を示している。図６（Ｄ）に示す外観画像５０ｄは、手差しトレイと、トレイ１とトレイ２にカセットトレイ、トレイ３にＨＴＭを備えた画像形成装置の画像を示している。図６（Ｅ）に示す外観画像５０ｅは、手差しトレイと、トレイ１にカセットトレイ、トレイ２とトレイ３にＨＴＭを備えた画像形成装置の画像を示している。
【００３５】
制御部２２は、トレイ情報格納部３６に格納されているトレイ一覧情報と、取得部２５により取得されたトレイ情報と、を用いて画像形成装置１０のトレイ構成に関するトレイ構成情報を生成する。
【００３６】
記憶部２６は、制御部２２による処理が行われる際の途中の画像データ等を一時的に記憶するためのメモリである。そして、記憶部２６は、生成された画像形成装置１０のトレイ構成情報を電源が遮断されるまで記憶する。
【００３７】
画像読取部２８は、セットされた原稿を読取って画像データに変換する処理を行っている。
【００３８】
通信部３２は、端末装置２０等の外部装置との間でデータのソース受信を行い、端末装置２０からの印刷ジョブを受信したり、画像データをファクシミリ送信したり、電子メールの送受信等を行っている。
【００３９】
画像出力部３４は、制御部２２による指示に基づいて動作を行って、画像データを印刷用紙等の記録媒体上に印刷して出力する処理を実行する。
【００４０】
制御部２２は、表示部２４、取得部２５、記憶部２６、画像読取部２８、通信部３２、画像出力部３４等を制御して、印刷処理、複写処理、原稿画像の読取り処理等の様々な処理を実行している。
【００４１】
そして、制御部２２は、ユーザにトレイに関する操作画面を示す際に、記憶部２６に記憶されているトレイ構成情報の名前ＩＤを用いて、操作画面においてトレイに関する操作をユーザに案内するためのトレイの名称を表示部２４に表示する。
【００４２】
また、制御部２２は、ユーザにトレイに関する操作画面を示す際に、記憶部２６に記憶されているトレイ構成情報のトレイタイプを用いて、操作画面においてトレイに関する操作をユーザに案内するための画像をトレイ情報格納部３６に格納されているトレイ画像の中から、操作画面上に表示する画像を選択して表示部２４に表示する。
【００４３】
また、制御部２２は、ユーザにトレイに関する操作画面を示す際に、記憶部２６に記憶されているトレイ構成情報の名前ＩＤとトレイタイプを用いて、トレイの種類と位置の組み合わせにより、操作画面においてトレイに関する操作をユーザに案内するための画像をトレイ情報格納部３６に格納されている外観画像の中から、操作画面上に表示する画像を選択して表示部２４に表示する。
【００４４】
すなわち、制御部２２は、表示部２４に表示する画像の種類に応じて、トレイ構成情報のうち必要な情報を参照して、操作画面においてトレイに関する操作をユーザに案内するための画像を選択して表示する。
【００４５】
次に、画像形成装置１０の動作について、図７〜１１を用いて説明する。図７は、電源起動時の画像形成装置１０の動作を示す図である。図８は、図４のトレイ一覧情報に基づくトレイ構成情報の生成を説明するための図である。図９は、生成されたトレイ構成情報の一例を示す図である。図１０は、トレイ構成情報取得後の画像形成装置１０の動作を示す図である。図１１は、生成されたトレイ構成情報に基づいて選択された画像の一例を示す図である。
【００４６】
電源を起動すると、取得部２５は、自装置への電気的な接続状態等に基づいて、自装置に装着されているトレイの種類および位置等のトレイ情報を取得する（ステップＳ１０）。具体的には、取得部２５は、手差しトレイが装着され、本体カセットがトレイ１に装着され、ＨＴＭがトレイ２に装着されているというようなトレイ情報を取得する。そして、制御部２２は、図８に示すようにトレイ情報格納部３６に格納されているトレイ一覧情報と、取得部２５により取得されたトレイ情報に基づいて、図９に示すような画像形成装置１０のトレイ構成情報を生成する（ステップＳ１２）。
【００４７】
そして、制御部２２は、生成されたトレイ構成情報を取得すると（ステップＳ２０）、取得されたトレイ構成情報に基づいて、トレイに関する操作をユーザに案内するための画像をトレイ情報格納部３６に格納されているトレイ画像又は外観画像の中から選択する（ステップＳ２２）。そして、取得されたトレイ構成情報に基づいて選択された画像を表示部２４に表示する（ステップＳ２４）。
【００４８】
図１１（Ａ）は、図９のトレイ構成情報に基づいて選択された手差しトレイのトレイ画像４０ａを示す図である。制御部２２は、トレイ構成情報に基づいて手差しトレイが装着されていることを認識し、トレイ情報格納部３６から手差しトレイのトレイ画像４０ａを選択して表示する。
【００４９】
図１１（Ｂ）は、図９のトレイ構成情報に基づいて選択されたトレイ１のトレイ画像４０ｂを示す図である。制御部２２は、トレイ構成情報に基づいてトレイ１にカセットトレイが装着されていることを認識し、トレイ情報格納部３６からカセットトレイのトレイ画像４０ｂを選択して表示する。
【００５０】
図１１（Ｃ）は、図９のトレイ構成情報に基づいて選択されたトレイ２のトレイ画像４０ｃを示す図である。制御部２２は、トレイ構成情報に基づいてトレイ２にＨＴＭが装着されていることを認識し、トレイ情報格納部３６からＨＴＭのトレイ画像４０ｃを選択して表示する。
【００５１】
図１１（Ｄ）は、図９のトレイ構成情報に基づいて選択された外観画像５０ｃを示す図である。制御部２２は、トレイ構成情報に基づいて自装置に手差しトレイ、トレイ１にカセットトレイ、トレイ２にＨＴＭが装着されていることを認識し、トレイ情報格納部３６から外観画像５０ｃを選択して表示する。
【００５２】
すなわち、図１１（Ａ）〜（Ｃ）に示すようなトレイ画像や図１１（Ｄ）に示すような外観画像が、画像形成装置１０の操作画面上の操作に応じて選択されて表示される。
【００５３】
次に、本実施形態の画像形成装置１０における表示部２４の表示内容の一例について説明する。
【００５４】
図１２では、電源５２が起動して、画像形成装置１０の待機状態に示されるホーム画面が表示部２４に表示されている場合が示されている。
【００５５】
図１２に示されたホーム画面例では、ある機能の実行を選択するための複数のアイコンが表示部２４の操作画面上に表示されている。
【００５６】
例えば、アイコン５４は、機器設定機能を実行するためのアイコンでありユーザが指でタッチして選択することにより機器設定アプリケーションプログラムが起動してユーザは機器設定機能を利用することができるようになる。
【００５７】
ここでは、図１３に示すように、ユーザが指７０により機器設定機能に対応したアイコン５４を選択し、非定型の用紙をトレイ２に設定する場合を例にして説明する。
【００５８】
ユーザが機器設定機能に対応したアイコン５４を選択したことにより、図１４に示すような機器設定画面が表示される。そして、ユーザが「用紙トレイ」を指７０でタッチして選択すると、図１５に示すように、「用紙トレイ」設定画面が表示される。
【００５９】
そして、ユーザが、非定型の用紙を設定する「トレイ２」を指７０でタッチして選択すると、「トレイ２」の設定画面が表示される。
【００６０】
そして、図１６に示すように、「トレイ２」の設定画面において、用紙サイズを設定する「カスタムサイズ設定」をユーザが指７０でタッチして選択すると、図１７に示すように、「カスタム用紙」の設定画面が表示される。
【００６１】
このとき「カスタム用紙」設定画面には、画像形成装置１０のトレイ２に対応するトレイ画像４０ｃが表示されている。すなわち、制御部２２は、画像形成装置１０のトレイ構成情報に基づいて画像形成装置１０のトレイ２に装着されているＨＴＭのトレイ画像４０ｃを選択して表示する。
【００６２】
図１８は、ユーザが指７０により機器設定機能に対応したアイコン５４を選択し、非定型の用紙を手差しトレイに設定する場合の設定画面を示している。
【００６３】
この手差しトレイに「カスタム用紙」を設定する設定画面においても、制御部２２は、画像形成装置１０の手差しトレイに対応するトレイ画像４０ａを表示する。すなわち、画像形成装置１０のトレイ構成情報に基づいて画像形成装置１０の手差しトレイのトレイ画像４０ａを選択して表示する。
【００６４】
図１９は、画像形成装置１０において、トレイ２の用紙がなくなって、トレイ２に用紙の補充を要求する場合の表示画面例を示している。
【００６５】
このように、トレイへの用紙の補充を要求する場合においても、制御部２２は、トレイ構成情報に基づいて画像形成装置１０の外観画像５０ｃを選択して表示する。また、用紙の補充をするトレイの位置を矢印で示したり、例えば緑色等のカラーで表示したり、点滅させたりして表示する。これにより、ユーザは、用紙を補充する必要があるトレイの位置が分かり易くなる。
【００６６】
図２０は、画像形成装置１０において、トレイ１で紙詰まりが発生し、詰まった紙の除去を要求する場合の表示画面例を示している。
【００６７】
このように、紙詰まりが発生しているトレイの位置を表示する場合においても、制御部２２は、トレイ構成情報に基づいて画像形成装置１０の外観画像５０ｃを選択して表示する。また、紙詰まりが発生しているトレイの位置を矢印で示したり、例えば赤色等のカラーで表示したり、点滅させたりして表示する。これにより、ユーザは、詰まった紙を取り除く必要があるトレイの位置が分かり易くなる。
【００６８】
次に、他のトレイ構成情報に基づいて選択されて表示される画像例について説明する。
【００６９】
図２１は、トレイ構成情報の変形例１を示す図である。
【００７０】
図２２（Ａ）は、図２１のトレイ構成情報に基づいて選択された手差しトレイのトレイ画像４０ａを示す図である。制御部２２は、トレイ構成情報に基づいて手差しトレイが装着されていることを認識し、トレイ情報格納部３６から手差しトレイのトレイ画像４０ａを選択して表示する。
【００７１】
図２２（Ｂ）は、図２１のトレイ構成情報に基づいて選択されたトレイ１のトレイ画像４０ｂを示す図である。制御部２２は、トレイ構成情報に基づいてトレイ１にカセットトレイが装着されていることを認識し、トレイ情報格納部３６からカセットトレイのトレイ画像４０ｂを選択して表示する。
【００７２】
図２２（Ｃ）は、図２１のトレイ構成情報に基づいて選択された外観画像５０ａを示す図である。制御部２２は、トレイ構成情報に基づいて自装置に手差しトレイ、トレイ１にカセットトレイが装着されていることを認識し、トレイ情報格納部３６から外観画像５０ａを選択して表示する。
【００７３】
すなわち、図２１に示すようなトレイ構成情報を有する画像形成装置の表示部２４には、図２２（Ａ）、（Ｂ）に示すようなトレイ画像や図２２（Ｃ）に示すような外観画像が、操作画面上の操作に応じて選択されて表示される。
【００７４】
図２３は、トレイ構成情報の変形例２を示す図である。
【００７５】
図２４（Ａ）は、図２３のトレイ構成情報に基づいて選択された手差しトレイのトレイ画像４０ａを示す図である。制御部２２は、トレイ構成情報に基づいて手差しトレイが装着されていることを認識し、トレイ情報格納部３６から手差しトレイのトレイ画像４０ａを選択して表示する。
【００７６】
図２４（Ｂ）は、図２３のトレイ構成情報に基づいて選択されたトレイ１のトレイ画像４０ｂを示す図である。制御部２２は、トレイ構成情報に基づいてトレイ１にカセットトレイが装着されていることを認識し、トレイ情報格納部３６からカセットトレイのトレイ画像４０ｂを選択して表示する。
【００７７】
図２４（Ｃ）は、図２３のトレイ構成情報に基づいて選択されたトレイ２のトレイ画像４０ｂを示す図である。制御部２２は、トレイ構成情報に基づいてトレイ２にカセットトレイが装着されていることを認識し、トレイ情報格納部３６からカセットトレイのトレイ画像４０ｂを選択して表示する。
【００７８】
図２４（Ｄ）は、図２３のトレイ構成情報に基づいて選択されたトレイ３のトレイ画像４０ｂを示す図である。制御部２２は、トレイ構成情報に基づいてトレイ３にカセットトレイが装着されていることを認識し、トレイ情報格納部３６からカセットトレイのトレイ画像４０ｂを選択して表示する。
【００７９】
図２４（Ｅ）は、図２３のトレイ構成情報に基づいて選択された外観画像５０ｂを示す図である。制御部２２は、トレイ構成情報に基づいて自装置に手差しトレイ、トレイ１〜トレイ３にカセットトレイが装着されていることを認識し、トレイ情報格納部３６から外観画像５０ｂを選択して表示する。
【００８０】
すなわち、図２３に示すようなトレイ構成情報を有する画像形成装置の表示部２４には、図２４（Ａ）〜（Ｄ）に示すようなトレイ画像や図２４（Ｅ）に示すような外観画像が、操作画面上の操作に応じて選択されて表示される。
【００８１】
図２５は、トレイ構成情報の変形例３を示す図である。
【００８２】
図２６（Ａ）は、図２５のトレイ構成情報に基づいて選択された手差しトレイのトレイ画像４０ａを示す図である。制御部２２は、トレイ構成情報に基づいて手差しトレイが装着されていることを認識し、トレイ情報格納部３６から手差しトレイのトレイ画像４０ａを選択して表示する。
【００８３】
図２６（Ｂ）は、図２５のトレイ構成情報に基づいて選択されたトレイ１のトレイ画像４０ｂを示す図である。制御部２２は、トレイ構成情報に基づいてトレイ１にカセットトレイが装着されていることを認識し、トレイ情報格納部３６からカセットトレイのトレイ画像４０ｂを選択して表示する。
【００８４】
図２６（Ｃ）は、図２５のトレイ構成情報に基づいて選択されたトレイ２のトレイ画像４０ｂを示す図である。制御部２２は、トレイ構成情報に基づいてトレイ２にカセットトレイが装着されていることを認識し、トレイ情報格納部３６からカセットトレイのトレイ画像４０ｂを選択して表示する。
【００８５】
図２６（Ｄ）は、図２５のトレイ構成情報に基づいて選択されたトレイ３のトレイ画像４０ｃを示す図である。制御部２２は、トレイ構成情報に基づいてトレイ３にＨＴＭが装着されていることを認識し、トレイ情報格納部３６からＨＴＭのトレイ画像４０ｃを選択して表示する。
【００８６】
図２６（Ｅ）は、図２５のトレイ構成情報に基づいて選択された外観画像５０ｄを示す図である。制御部２２は、トレイ構成情報に基づいて自装置に手差しトレイ、トレイ１とトレイ２にカセットトレイ、トレイ３にＨＴＭが装着されていることを認識し、トレイ情報格納部３６から外観画像５０ｄを選択して表示する。
【００８７】
すなわち、図２５に示すようなトレイ構成情報を有する画像形成装置の表示部２４には、図２６（Ａ）〜（Ｄ）に示すようなトレイ画像や図２６（Ｅ）に示すような外観画像が、操作画面上の操作に応じて選択されて表示される。
【００８８】
図２７は、トレイ構成情報の変形例４を示す図である。
【００８９】
図２８（Ａ）は、図２７のトレイ構成情報に基づいて選択された手差しトレイのトレイ画像４０ａを示す図である。制御部２２は、トレイ構成情報に基づいて手差しトレイが装着されていることを認識し、トレイ情報格納部３６から手差しトレイのトレイ画像４０ａを選択して表示する。
【００９０】
図２８（Ｂ）は、図２７のトレイ構成情報に基づいて選択されたトレイ１のトレイ画像４０ｂを示す図である。制御部２２は、トレイ構成情報に基づいてトレイ１にカセットトレイが装着されていることを認識し、トレイ情報格納部３６からカセットトレイのトレイ画像４０ｂを選択して表示する。
【００９１】
図２８（Ｃ）は、図２７のトレイ構成情報に基づいて選択されたトレイ２のトレイ画像４０ｃを示す図である。制御部２２は、トレイ構成情報に基づいてトレイ２にＨＴＭが装着されていることを認識し、トレイ情報格納部３６からＨＴＭのトレイ画像４０ｃを選択して表示する。
【００９２】
図２８（Ｄ）は、図２７のトレイ構成情報に基づいて選択されたトレイ３のトレイ画像４０ｃを示す図である。制御部２２は、トレイ構成情報に基づいてトレイ３にＨＴＭが装着されていることを認識し、トレイ情報格納部３６からＨＴＭのトレイ画像４０ｃを選択して表示する。
【００９３】
図２８（Ｅ）は、図２７のトレイ構成情報に基づいて選択された外観画像５０ｅを示す図である。制御部２２は、トレイ構成情報に基づいて自装置に手差しトレイ、トレイ１にカセットトレイ、トレイ２とトレイ３にＨＴＭが装着されていることを認識し、トレイ情報格納部３６から外観画像５０ｅを選択して表示する。
【００９４】
すなわち、図２７に示すようなトレイ構成情報を有する画像形成装置の表示部２４には、図２８（Ａ）〜（Ｄ）に示すようなトレイ画像や図２８（Ｅ）に示すような外観画像が、操作画面上の操作に応じて選択されて表示される。
【００９５】
以上、本発明の実施形態について具体的に説明した。しかしながら、本発明は上述の実施形態に限定されるものではなく、その要旨を逸脱しない範囲で種々変更可能である。
【００９６】
例えば、生成されるトレイ構成情報や、トレイ画像、外観画像等は上述の実施形態に限定されるものではなく、その要旨を逸脱しない範囲で種々変更可能である。
【００９７】
また、上記実施形態においては、用紙をトレイに設定する場合や、トレイに用紙がなくなった場合、紙詰まりが発生した場合の表示画面例について説明したが、これに限らず、トレイを自装置から引き出した場合等、トレイに関する操作を利用者に案内する場合に適用することができる。
【００９８】
また、上記実施形態においては、トレイ構成情報に基づいてトレイ画像や外観画像を選択して表示する場合を例にして説明したが、これに限らず、後処理装置や、センサーを備えていない脚部等のオプション構成を追加する場合にも後処理装置や脚等の画像を追加して適用することができる。
【００９９】
また、上記実施形態においては、トレイ構成情報に基づいてトレイ画像や外観画像を選択して表示する場合を例にして説明したが、これに限らず、画像形成装置１０に登録された言語等の情報に基づいて販売領域に関する情報を取得して、操作画面において表示する言語を販売領域に応じた表示にすることもできる。
【符号の説明】
【０１００】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
２２    制御部
２４    表示部
２５    取得部
２６    記憶部
２８    画像読取部
３２    通信部
３４    画像出力部
３６    トレイ情報格納部
【図１】
2018107767.tif 000003
【図２】
2018107767.tif 000004
【図３】
2018107767.tif 000005
【図４】
2018107767.tif 000006
【図５】
2018107767.tif 000007
【図６】
2018107767.tif 000008
【図７】
2018107767.tif 000009
【図８】
2018107767.tif 000010
【図９】
2018107767.tif 000011
【図１０】
2018107767.tif 000012
【図１１】
2018107767.tif 000013
【図１２】
2018107767.tif 000014
【図１３】
2018107767.tif 000015
【図１４】
2018107767.tif 000016
【図１５】
2018107767.tif 000017
【図１６】
2018107767.tif 000018
【図１７】
2018107767.tif 000019
【図１８】
2018107767.tif 000020
【図１９】
2018107767.tif 000021
【図２０】
2018107767.tif 000022
【図２１】
2018107767.tif 000023
【図２２】
2018107767.tif 000024
【図２３】
2018107767.tif 000025
【図２４】
2018107767.tif 000026
【図２５】
2018107767.tif 000027
【図２６】
2018107767.tif 000028
【図２７】
2018107767.tif 000029
【図２８】
2018107767.tif 000030